(57)【要約】【課題】受信者クライアントのセキュリティを保ちつつ、送信者及び受信者の双方にとって使い勝手の良いデータ配信を実現可能な画像処理装置及びデータ配信方法を提供することを目的とする。【解決手段】ネットワーク経由で接続されたクライアント２へデータを配信する画像処理装置１であって、クライアント２へデータを配信する為に必要なパラメータに基づき、配信許諾をクライアント２へ要求する配信許諾要求手段（Ｓ２）と、クライアント２から配信許諾が通知されると（Ｓ３）、クライアント２に作成されたパラメータに基づきデータの配信を許諾するデータ格納手段へデータを配信する配信手段（Ｓ４）と、データ格納手段へのデータの配信結果をクライアント３へ送信する配信結果送信手段（Ｓ５）とを有することにより上記課題を解決する。【選択図】図２
2009134613.tif 000002
【特許請求の範囲】
【請求項１】
ネットワーク経由でデータ通信可能に接続された受信者クライアントへデータを配信する画像処理装置であって、
前記受信者クライアントへデータを配信する為に必要なパラメータに基づき、配信許諾を前記受信者クライアントへ要求する配信許諾要求手段と、
前記受信者クライアントから配信許諾が通知されると、前記受信者クライアントに作成された前記パラメータに基づき前記データの配信を許諾するデータ格納手段へ前記データを配信する配信手段と、
前記データ格納手段への前記データの配信結果を送信者クライアントへ送信する配信結果送信手段と
を有することを特徴とする画像処理装置。
【請求項２】
前記パラメータには、送信者ログイン名及び送信者パスワードが含まれており、
前記配信手段は、前記受信者クライアントに作成された前記送信者ログイン名及び前記送信者パスワードに基づき前記データの配信を許諾するデータ格納手段へ前記データを配信することを特徴とする請求項１記載の画像処理装置。
【請求項３】
前記パラメータには、前記データの配信時刻が含まれており、
前記配信手段は、前記データの配信時刻に、前記受信者クライアントに作成された前記データ格納手段へ前記データを配信することを特徴とする請求項１又は２記載の画像処理装置。
【請求項４】
前記送信者クライアントから前記パラメータを含むメールを受信し、前記パラメータを受け付ける第１パラメータ受付手段を更に有することを特徴とする請求項１記載の画像処理装置。
【請求項５】
前記送信者クライアントに前記パラメータを設定させる為の画面を表示させ、送信者により前記画面に設定された前記パラメータを受け付ける第２パラメータ受付手段を更に有することを特徴とする請求項１記載の画像処理装置。
【請求項６】
前記配信許諾要求手段は、前記パラメータに基づき前記データの配信を許諾するデータ格納手段を前記受信者クライアントに作成するスクリプトを添付したメールにて、配信許諾を前記受信者クライアントへ要求することを特徴とする請求項１記載の画像処理装置。
【請求項７】
前記データは前記パラメータに含まれる前記データの配信時刻に前記スキャナ部によりスキャンされたスキャン文書であることを特徴とする請求項１乃至６何れか一項記載の画像処理装置。
【請求項８】
前記データ格納手段は、前記パラメータに基づき前記データの配信を許諾するフォルダであることを特徴とする請求項１乃至７何れか一項記載の画像処理装置。
【請求項９】
ネットワーク経由でデータ通信可能に接続された受信者クライアントへデータを配信する画像処理装置におけるデータ配信方法であって、
前記受信者クライアントへデータを配信する為に必要なパラメータに基づき、配信許諾を前記受信者クライアントへ要求する配信許諾要求ステップと、
前記受信者クライアントから配信許諾が通知されると、前記受信者クライアントに作成された前記パラメータに基づき前記データの配信を許諾するデータ格納手段へ前記データを配信する配信ステップと、
前記データ格納手段への前記データの配信結果を送信者クライアントへ送信する配信結果送信ステップと
を有することを特徴とするデータ配信方法。
【発明の詳細な説明】
【技術分野】
【０００１】
本発明は、画像処理装置及びデータ配信方法に係り、特に受信者クライアントへデータを配信する画像処理装置及びデータ配信方法に関する。
【背景技術】
【０００２】
画像処理装置の一例としての複合機には、ＰＣ（Personal Computer）等の外部の機器からネットワーク経由で受信した要求に応じて、プロッタやスキャナ等の搭載機能により処理を行うものがあった（例えば特許文献１及び２参照）。
【０００３】
従来、複合機では操作者からの要求に応じて、スキャナ部でスキャンしたスキャン文書をＰＣに配信するスキャン文書配信が行われている。スキャン文書配信はＳＭＢ（サーバメッセージブロック）やＦＴＰ（File Transfer Protocol）を使用して行われる。ここでは送信者がスキャン文書配信に必要なパラメータ（配信情報）を設定し、配信（相手）先のＰＣ（受信者ＰＣ）にスキャン文書を配信する例を説明する。受信者ＰＣでは、例えばスキャン文書の配信をフォルダ（受信フォルダ）により受け付けていた。
【特許文献１】特開２００２−２１５５５８号公報
【特許文献２】特開平０７−１０５０６９号公報
【発明の開示】
【発明が解決しようとする課題】
【０００４】
ところで、受信者ＰＣではセキュリティ面を考慮すると、受信フォルダにログイン名やパスワードなどによる配信の許諾が必要である。このようにログイン名やパスワードなどによる配信の許諾が必要な受信フォルダへスキャン文書を配信する場合、送信者は配信の許諾に必要なログイン名やパスワードを複合機の操作パネル（オペレーションパネル）や送信者のＰＣ（送信者ＰＣ）から設定しなければならない。
【０００５】
しかしながら、配信の許諾に必要な受信フォルダへのログイン名やパスワードが日常的に使っているものである場合や変更頻度が低いものである場合、ログイン名やパスワードを送信者へ知らせることはリスクが大きかった。なお、スキャン文書が配信される度に送信者へ知らせたログイン名やパスワードを受信者が設定し直すことは、受信者の負担が大きく現実的でなかった。
【０００６】
本発明は、上記の点に鑑みなされたもので、受信者クライアントのセキュリティを保ちつつ、送信者及び受信者の双方にとって使い勝手の良いデータ配信を実現可能な画像処理装置及びデータ配信方法を提供することを目的とする。
【課題を解決するための手段】
【０００７】
上記課題を解決する為、本発明は、ネットワーク経由でデータ通信可能に接続された受信者クライアントへデータを配信する画像処理装置であって、前記受信者クライアントへデータを配信する為に必要なパラメータに基づき、配信許諾を前記受信者クライアントへ要求する配信許諾要求手段と、前記受信者クライアントから配信許諾が通知されると、前記受信者クライアントに作成された前記パラメータに基づき前記データの配信を許諾するデータ格納手段へ前記データを配信する配信手段と、前記データ格納手段への前記データの配信結果を送信者クライアントへ送信する配信結果送信手段とを有することを特徴とする。
【０００８】
また、本発明は、ネットワーク経由でデータ通信可能に接続された受信者クライアントへデータを配信する画像処理装置におけるデータ配信方法であって、前記受信者クライアントへデータを配信する為に必要なパラメータに基づき、配信許諾を前記受信者クライアントへ要求する配信許諾要求ステップと、前記受信者クライアントから配信許諾が通知されると、前記受信者クライアントに作成された前記パラメータに基づき前記データの配信を許諾するデータ格納手段へ前記データを配信する配信ステップと、前記データ格納手段への前記データの配信結果を送信者クライアントへ送信する配信結果送信ステップとを有することを特徴とする。
【０００９】
なお、本発明の構成要素、表現または構成要素の任意の組合せを、方法、装置、システム、コンピュータプログラム、記録媒体、データ構造などに適用したものも本発明の態様として有効である。
【発明の効果】
【００１０】
本発明によれば、受信者クライアントのセキュリティを保ちつつ、送信者及び受信者の双方にとって使い勝手の良いデータ配信を実現可能な画像処理装置及びデータ配信方法を提供可能である。
【発明を実施するための最良の形態】
【００１１】
次に、本発明を実施するための最良の形態を、以下の実施例に基づき図面を参照しつつ説明していく。なお、本実施例では画像処理装置の一例として複合機１を例に説明していくが、如何なる画像処理装置であってもよい。
【００１２】
図１は本発明によるデータ配信システムの一例の構成図である。図１のデータ配信システムは複合機（ＭＦＰ）１，受信者のＰＣ（受信者ＰＣ）２及び送信者のＰＣ（送信者ＰＣ）３がＬＡＮ等のネットワーク経由でデータ通信可能に接続されている。図１のデータ配信システムはスキャン文書配信サービスを提供するものである。
【００１３】
スキャン文書配信サービスは送信者ＰＣ３からの要求に基づき、複合機１がスキャン文書を受信者ＰＣ２に配信するものである。図１に示すデータ配信システムは複合機１のＳＭＢ，ＦＴＰクライアント機能を使用してスキャン文書配信サービスを提供する。ＳＭＢとはネットワーク経由でファイル共有やプリンタ共有を実現するプロトコルである。ＦＴＰとはインターネットやイントラネットなどのＴＣＰ／ＩＰネットワークでファイルを転送するときに使われるプロトコルである。
【００１４】
図１に示すデータ配信システムの処理手順について図２のシーケンス図を参照しつつ説明する。図２は本発明によるデータ配信システムの処理手順を表した一例のシーケンス図である。
【００１５】
ステップＳ１に進み、送信者は送信者ＰＣ３を操作し、後述のようにＷｅｂページ又はｅｍａｉｌでスキャン文書配信に必要な受信者ＰＣ２の名前やスキャン文書の配信方法等のパラメータ（配信情報）を複合機１に設定する。
【００１６】
ステップＳ２に進み、複合機１は受信者ＰＣ２に対してスキャン文書配信の予定を通知すると共に、スキャン文書配信の許諾を要求する為のｅｍａｉｌ送信を行う。このｅｍａｉｌには後述のようにスキャン文書の配信を受け付ける為の受信フォルダを作成し、返信を返すスクリプトが添付されている。スクリプトは送信者によって設定されたパラメータに含まれるログイン名（送信者ログイン名）及びパスワード（送信者パスワード）でアクセスが可能な受信フォルダを作成できるものとする。
【００１７】
ここでは、受信者によってスキャン文書配信が許諾されたものとして説明を続ける。受信者ＰＣ２は複合機１からのｅｍａｉｌに添付されていたスクリプトを実行し、送信者によって設定されたパラメータに含まれるログイン名及びパスワードでアクセスが可能な受信フォルダを作成する。受信フォルダを作成したあと、受信者ＰＣ２はステップＳ３に進み、スキャン文書配信の許諾を複合機１に返信する。
【００１８】
ステップＳ４に進み、複合機１はスキャンしたスキャン文書又は既に蓄積されている蓄積文書を、送信者によって設定されたパラメータに含まれる配信時刻に受信者ＰＣ２の受信フォルダへ配信する。ステップＳ４では、送信者によって設定されたパラメータに含まれるログイン名及びパスワードにより受信フォルダへのアクセスが可能である。
【００１９】
そして、ステップＳ５に進み、複合機１はスキャン文書の配信結果をｅｍａｉｌで送信者ＰＣ３へ送信する。なお、ステップＳ１においてＷｅｂページ又はｅｍａｉｌの何れでパラメータを設定するか、ステップＳ４においてスキャン文書又は蓄積文書の何れを配信するかの組み合わせとしては、以下の４つのパターンがある。なお、ＳＭＢとＦＴＰとはライブラリとしての使用なので同等と考える。
【００２０】
第１のパターンは、ｅｍａｉｌ（ｅｍａｉｌ形式）でパラメータを設定し、スキャン文書を配信するものである。第２のパターンは、ｅｍａｉｌでパラメータを設定し、蓄積文書を配信するものである。
【００２１】
第３のパターンは、Ｗｅｂページでパラメータを設定し、スキャン文書を配信するものである。第４のパターンは、Ｗｅｂページでパラメータを設定し、蓄積文書を配信するものである。以下、第１〜第４のパターンを実施例１〜４として詳細に説明する。
【実施例１】
【００２２】
図３は本発明によるデータ配信システムの詳細を示す第１実施例の構成図である。図３の複合機１はスキャナ部１１，要求受付部１２，データ保存部１３，配信制御部１４を有する構成である。なお、図３における複合機１は本発明によるデータ配信方法の説明に不要な部分を適宜省略している。
【００２３】
図３に示すデータ配信システムの処理手順について図４のシーケンス図を参照しつつ説明する。図４は本発明によるデータ配信システムの処理手順を表した第１実施例のシーケンス図である。
【００２４】
ステップＳ１１に進み、送信者は送信者ＰＣ３を操作し、図５のような内容のｅｍａｉｌでスキャン文書配信に必要なパラメータ（配信情報）を複合機１の要求受付部１２に送信する。図５はパラメータを設定する為のｅｍａｉｌの内容を表した構成図である。図５ではパラメータを設定する為に必要なデータをＸＭＬ形式で表している。
【００２５】
ステップＳ１２に進み、要求受付部１２は受信した図５のｅｍａｉｌに含まれていたパラメータを配信制御部１４に通知する。配信制御部１４は要求受付部１２から通知されたパラメータに不正があれば、ステップＳ１３に進み、その旨をｅｍａｉｌにて送信者ＰＣ３に通知する。
【００２６】
要求受付部１２から通知されたパラメータに不正がなければ、配信制御部１４はステップＳ１４に進み、要求受付部１２から通知されたパラメータを利用して図６に示すような内容のｅｍａｉｌを受信者ＰＣ２に送信する。図６はスキャン文書配信の許諾を要求する為のｅｍａｉｌの内容を表した構成図である。
【００２７】
図６（Ａ）はスキャン文書配信の許諾を要求する為のｅｍａｉｌの作成に必要なデータを表している。図６（Ｂ）はスキャン文書配信の許諾を要求する為のｅｍａｉｌの内容を表している。
【００２８】
図６（Ｂ）のｅｍａｉｌを送信することで、配信制御部１４は、受信者ＰＣ２に対してスキャン文書配信の予定を通知すると共に、スキャン文書配信の許諾を要求することができる。なお、図６（Ｂ）のｅｍａｉｌには、スキャン文書の配信を許諾する場合に実行するスクリプトとスキャン文書の配信を許諾しない場合に実行するスクリプトとが添付されている。
【００２９】
スキャン文書の配信を許諾する場合、受信者は受信者ＰＣ２でスキャン文書の配信を許諾する場合に実行するスクリプトを実行する。このスクリプトは、受信者により実行されると、スキャン文書の配信を受け付ける為の受信フォルダを作成し、要求受付部１２へスキャン文書配信を許諾する旨（スキャン文書配信許可）を返信する。この受信フォルダは送信者によって設定されたパラメータに含まれるログイン名及びパスワードでアクセスが可能である。
【００３０】
また、スキャン文書の配信を許諾しない場合、受信者は受信者ＰＣ２でスキャン文書の配信を許諾しない場合に実行するスクリプトを実行する。このスクリプトは、受信者により実行されると、要求受付部１２へスキャン文書配信を許諾しない旨（スキャン文書配信拒否）を返信する。
【００３１】
ステップＳ１５に進み、受信者ＰＣ２は要求受付部１２へスキャン文書配信許可またはスキャン文書配信拒否を返信する。ステップＳ１６に進み、要求受付部１２は受信者ＰＣ２から返信された返信内容を配信制御部１４に通知する。要求受付部１２から通知された返信内容がスキャン文書配信拒否であれば、配信制御部１４はステップＳ１７に進み、スキャン文書配信拒否をｅｍａｉｌにて送信者ＰＣ３に通知する。
【００３２】
要求受付部１２から通知された返信内容がスキャン文書配信許可であれば、配信制御部１４は送信者によって設定されたパラメータに含まれる配信時刻になった後、ステップＳ１８に進む。配信制御部１４は送信者によって設定されたパラメータに含まれるスキャンに関するパラメータ（スキャンパラメータ）を指定してスキャナ部１１に原稿のスキャンを要求する。スキャンパラメータは、送信者によって設定されたパラメータに含まれるスキャン文書枚数，保存形式，解像度等である。
【００３３】
ステップＳ１９に進み、スキャナ部１１はスキャンしたスキャン文書をデータ保存部１３に保存する。スキャナ部１１によるスキャンが終了し、データ保存部１３へのスキャン文書の保存が完了すると、データ保存部１３はステップＳ２０に進み、スキャン完了を配信制御部１４へ通知する。
【００３４】
ステップＳ２１に進み、配信制御部１４は送信者によって設定されたパラメータに含まれる配信に関するパラメータに従って、データ保存部１３に保存したスキャン文書を受信者ＰＣ２の受信フォルダへ配信する。送信者によって設定されたパラメータに含まれる配信に関するパラメータは、相手先ＰＣ，配信時刻，再送回数，送信者ログイン名，送信者パスワード，配信方法等である。ステップＳ２１の処理は、スキャン文書の配信失敗時に再送回数分、繰り返し行われる。なお、ステップＳ２１では送信者によって設定されたパラメータに含まれるログイン名及びパスワードにより受信フォルダへのアクセスが可能である。
【００３５】
そして、ステップＳ２２に進み、配信制御部１４はステップＳ１２で要求受付部１２から通知されたパラメータを利用してスキャン文書の配信結果をｅｍａｉｌで送信者ＰＣ３に通知する。また、ステップＳ２３に進み、配信制御部１４はステップＳ１２で要求受付部１２から通知されたパラメータを利用してスキャン文書の配信結果を図７に示すような内容のｅｍａｉｌで受信者ＰＣ２に通知する。図７はスキャン文書の配信結果を通知する為のｅｍａｉｌの内容を表した構成図である。
【００３６】
図７（Ａ）はスキャン文書の配信結果を通知する為のｅｍａｉｌの作成に必要なデータを表している。図７（Ｂ）はスキャン文書の配信結果を通知する為のｅｍａｉｌの内容を表している。なお、図７（Ｂ）のｅｍａｉｌには、受信フォルダのアクセス権を削除する場合に実行するスクリプトが添付されている。
【００３７】
したがって、受信フォルダのアクセス権を削除する場合、受信者は受信者ＰＣ２で受信フォルダのアクセス権を削除する場合に実行するスクリプトを実行する。受信フォルダのアクセス権を削除する場合に実行するスクリプトが実行されることにより、受信者ＰＣ２は受信フォルダへのアクセス権を削除する。
【００３８】
なお、配信制御部１４はステップＳ１２で要求受付部１２から通知されたパラメータに含まれるパラメータ「実行後文書」に「ＤＥＬＥＴＥ」が設定されている場合、ステップＳ２４に進み、データ保存部１３に保存したスキャン文書を削除する。
【００３９】
更に、配信制御部１４の処理手順について図８のフローチャートを参照しつつ説明していく。図８は配信制御部の処理手順を表した実施例１のシーケンス図である。
【００４０】
ステップＳ３１に進み、配信制御部１４はｅｍａｉｌを受信する。ｅｍａｉｌを受信すると、配信制御部１４はステップＳ３２に進み、送信者からのｅｍａｉｌであるか受信者からのｅｍａｉｌであるかを判定する。
【００４１】
送信者からのｅｍａｉｌであれば、配信制御部１４はステップＳ３３に進み、要求受付部１２から通知されたパラメータに不正（エラー）があるか否かを判定する。要求受付部１２から通知されたパラメータに不正がなければ、ステップＳ３４に進み、配信制御部１４は要求受付部１２から通知されたパラメータを利用して図６に示すような内容のｅｍａｉｌを受信者ＰＣ２に送信したあと、図８のフローチャートの処理を終了する。
【００４２】
なお、要求受付部１２から通知されたパラメータに不正がある場合、配信制御部１４はステップＳ３５に進み、その旨を表すｅｍａｉｌ（エラーメール）を送信者ＰＣ３に送信したあと、図８のフローチャートの処理を終了する。
【００４３】
ステップＳ３２において受信者からのｅｍａｉｌであると判定すると、配信制御部１４はステップＳ３６に進み、送信者によって設定されたパラメータに含まれるスキャンに関するパラメータに従ってスキャナ部１１に原稿をスキャンさせる。
【００４４】
ステップＳ３７に進み、配信制御部１４は送信者によって設定されたパラメータに含まれる配信に関するパラメータを確認する。ステップＳ３８に進み、配信制御部１４は配信に関するパラメータの一つであるパラメータ「配信方法」に従い、ＳＭＢ又はＦＴＰライブラリを用いて、データ保存部１３に保存したスキャン文書を受信者ＰＣ２の受信フォルダへ配信する。
【００４５】
ステップＳ３９に進み、配信制御部１４はスキャン文書の配信に失敗したか否かを判定する。スキャン文書の配信に失敗した場合、配信制御部１４は再送回数分まではステップＳ３７の処理に戻り、スキャン文書の配信を繰り返し行う。なお、スキャン文書の配信失敗が再送回数分を超えると、配信制御部１４はステップＳ３５に進み、エラーメールを送信者ＰＣ３へ送信する。
【００４６】
スキャン文書の配信に成功した場合、配信制御部１４はステップＳ４０に進み、スキャン文書の配信結果をｅｍａｉｌで送信者ＰＣ３に通知すると共に、図７に示すような内容のｅｍａｉｌで受信者ＰＣ２に通知する。
【００４７】
ステップＳ４１に進み、配信制御部１４は要求受付部１２から通知されたパラメータに含まれるパラメータ「実行後文書」に「ＤＥＬＥＴＥ」が設定されている場合、ステップＳ４２に進み、データ保存部１３からスキャン文書を削除し、図８のフローチャートの処理を終了する。なお、配信制御部１４は要求受付部１２から通知されたパラメータに含まれるパラメータ「実行後文書」に「ＤＥＬＥＴＥ」が設定されていない場合、そのまま図８のフローチャートの処理を終了する。
【００４８】
このように、本発明による複合機１によれば、送信者により設定されたログイン名やパスワードなどによる配信の許諾が必要な受信フォルダを作成し、送信者により設定されたログイン名やパスワードなどによる配信の許諾が必要な受信フォルダへスキャン文書を配信するようにしたため、受信者ＰＣ２のセキュリティを保ちつつ、送信者及び受信者の双方にとって使い勝手の良いデータ配信システムを実現できる。
【実施例２】
【００４９】
図９は本発明によるデータ配信システムの詳細を示す第２実施例の構成図である。図９の複合機１はスキャナ部１１を有していない点で図３の構成図と異なる。図９のデータ配信システムの処理手順について図１０のシーケンス図を参照しつつ説明する。図１０は本発明によるデータ配信システムの処理手順を表した第２実施例のシーケンス図である。
【００５０】
ステップＳ５１に進み、送信者は送信者ＰＣ３を操作し、図１１のような内容のｅｍａｉｌで蓄積文書配信に必要なパラメータ（配信情報）を複合機１の要求受付部１２に送信する。図１１はパラメータを設定する為のｅｍａｉｌの内容を表した構成図である。図１１ではパラメータを設定する為に必要なデータをＸＭＬ形式で表している。
【００５１】
ステップＳ５２に進み、要求受付部１２は受信した図１１のｅｍａｉｌに含まれていたパラメータを配信制御部１４に通知する。配信制御部１４は要求受付部１２から通知されたパラメータに不正があれば、ステップＳ５３に進み、その旨をｅｍａｉｌにて送信者ＰＣ３に通知する。
【００５２】
要求受付部１２から通知されたパラメータに不正がなければ、配信制御部１４はステップＳ５４に進み、要求受付部１２から通知されたパラメータを利用して図１２に示すような内容のｅｍａｉｌを受信者ＰＣ２に送信する。図１２は蓄積文書配信の許諾を要求する為のｅｍａｉｌの内容を表した構成図である。
【００５３】
図１２（Ａ）は蓄積文書配信の許諾を要求する為のｅｍａｉｌの作成に必要なデータを表している。図１２（Ｂ）は蓄積文書配信の許諾を要求する為のｅｍａｉｌの内容を表している。図１２（Ｂ）のｅｍａｉｌを送信することで、配信制御部１４は、受信者ＰＣ２に対して蓄積文書配信の予定を通知すると共に、蓄積文書配信の許諾を要求することができる。
【００５４】
なお、図１２（Ｂ）のｅｍａｉｌには、蓄積文書の配信を許諾する場合に実行するスクリプトと蓄積文書の配信を許諾しない場合に実行するスクリプトとが添付されている。
【００５５】
蓄積文書の配信を許諾する場合、受信者は受信者ＰＣ２で蓄積文書の配信を許諾する場合に実行するスクリプトを実行する。このスクリプトは、受信者により実行されると、蓄積文書の配信を受け付ける為の受信フォルダを作成し、要求受付部１２へ蓄積文書配信を許諾する旨（蓄積文書配信許可）を返信する。この受信フォルダは送信者によって設定されたパラメータに含まれるログイン名及びパスワードでアクセスが可能である。
【００５６】
また、蓄積文書の配信を許諾しない場合、受信者は受信者ＰＣ２で蓄積文書の配信を許諾しない場合に実行するスクリプトを実行する。このスクリプトは受信者により実行されると、要求受付部１２へ蓄積文書配信を許諾しない旨（蓄積文書配信拒否）を返信する。
【００５７】
ステップＳ５５に進み、受信者ＰＣ２は要求受付部１２へ蓄積文書配信許可または蓄積文書配信拒否を返信する。ステップＳ５６に進み、要求受付部１２は受信者ＰＣ２から返信された返信内容を配信制御部１４に通知する。要求受付部１２から通知された返信内容が蓄積文書配信拒否であれば、配信制御部１４はステップＳ５７に進み、蓄積文書配信拒否をｅｍａｉｌにて送信者ＰＣ３に通知する。
【００５８】
要求受付部１２から通知された返信内容が蓄積文書配信許可であれば、配信制御部１４は送信者によって設定されたパラメータに含まれる配信時刻になった後、ステップＳ５８に進む。配信制御部１４は送信者によって設定されたパラメータに含まれる蓄積文書名を指定してデータ保存部１３から蓄積文書を取得する。
【００５９】
ステップＳ６０に進み、配信制御部１４は送信者によって設定されたパラメータに含まれる配信に関するパラメータに従って、データ保存部１３から取得した蓄積文書を受信者ＰＣ２の受信フォルダへ配信する。送信者によって設定されたパラメータに含まれる配信に関するパラメータは、相手先ＰＣ，配信時刻，再送回数，送信者ログイン名，送信者パスワード，配信方法等である。ステップＳ６０の処理は、蓄積文書の配信失敗時に再送回数分、繰り返し行われる。ステップＳ６０では送信者によって設定されたパラメータに含まれるログイン名及びパスワードにより受信フォルダへのアクセスが可能である。
【００６０】
そして、ステップＳ６１に進み、配信制御部１４はステップＳ５２で要求受付部１２から通知されたパラメータを利用して蓄積文書の配信結果をｅｍａｉｌで送信者ＰＣ３に通知する。また、ステップＳ６２に進み、配信制御部１４はステップＳ５２で要求受付部１２から通知されたパラメータを利用して蓄積文書の配信結果を図１３に示すような内容のｅｍａｉｌで受信者ＰＣ２に通知する。図１３は蓄積文書の配信結果を通知する為のｅｍａｉｌの内容を表した構成図である。
【００６１】
図１３（Ａ）は蓄積文書の配信結果を通知する為のｅｍａｉｌの作成に必要なデータを表している。図１３（Ｂ）は蓄積文書の配信結果を通知する為のｅｍａｉｌの内容を表している。なお、図１３（Ｂ）のｅｍａｉｌには、受信フォルダのアクセス権を削除する場合に実行するスクリプトが添付されている。
【００６２】
したがって、受信フォルダのアクセス権を削除する場合、受信者は受信者ＰＣ２で受信フォルダのアクセス権を削除する場合に実行するスクリプトを実行する。受信フォルダのアクセス権を削除する場合に実行するスクリプトが実行されることにより、受信者ＰＣ２は受信フォルダへのアクセス権を削除する。
【００６３】
なお、配信制御部１４はステップＳ５２で要求受付部１２から通知されたパラメータに含まれるパラメータ「実行後文書」に「ＤＥＬＥＴＥ」が設定されている場合、ステップＳ６３に進み、データ保存部１３に保存した蓄積文書を削除する。
【００６４】
更に、配信制御部１４の処理手順について図１４のフローチャートを参照しつつ説明していく。図１４は配信制御部の処理手順を表した実施例２のシーケンス図である。
【００６５】
ステップＳ７１に進み、配信制御部１４はｅｍａｉｌを受信する。ｅｍａｉｌを受信すると、配信制御部１４はステップＳ７２に進み、送信者からのｅｍａｉｌであるか受信者からのｅｍａｉｌであるかを判定する。
【００６６】
送信者からのｅｍａｉｌであれば、配信制御部１４はステップＳ７３に進み、要求受付部１２から通知されたパラメータに不正（エラー）があるか否かを判定する。要求受付部１２から通知されたパラメータに不正がなければ、ステップＳ７４に進み、配信制御部１４は要求受付部１２から通知されたパラメータを利用して図１２に示すような内容のｅｍａｉｌを受信者ＰＣ２に送信したあと、図１４のフローチャートの処理を終了する。
【００６７】
なお、要求受付部１２から通知されたパラメータに不正がある場合、配信制御部１４はステップＳ７５に進み、その旨を表すｅｍａｉｌ（エラーメール）を送信者ＰＣ３に送信したあと、図１４のフローチャートの処理を終了する。
【００６８】
ステップＳ７２において受信者からのｅｍａｉｌであると判定すると、配信制御部１４はステップＳ７６に進み、データ保存部１３から蓄積文書を読み出す。ステップＳ７７に進み、配信制御部１４は送信者によって設定されたパラメータに含まれる配信に関するパラメータを確認する。ステップＳ７８に進み、配信制御部１４は配信に関するパラメータの一つであるパラメータ「配信方法」に従い、ＳＭＢ又はＦＴＰライブラリを用いて、読み出した蓄積文書を受信者ＰＣ２の受信フォルダへ配信する。
【００６９】
また、ステップＳ７９に進み、配信制御部１４は蓄積文書の配信に失敗したか否かを判定する。蓄積文書の配信に失敗した場合、配信制御部１４は再送回数分まではステップＳ７７の処理に戻り、蓄積文書の配信を繰り返し行う。なお、蓄積文書の配信失敗が再送回数分を超えると、配信制御部１４はステップＳ７５に進み、エラーメールを送信者ＰＣ３へ送信する。
【００７０】
蓄積文書の配信に成功した場合、配信制御部１４はステップＳ８０に進み、蓄積文書の配信結果をｅｍａｉｌで送信者ＰＣ３に通知すると共に、図１３に示すような内容のｅｍａｉｌで受信者ＰＣ２に通知する。
【００７１】
ステップＳ８１に進み、配信制御部１４は要求受付部１２から通知されたパラメータに含まれるパラメータ「実行後文書」に「ＤＥＬＥＴＥ」が設定されている場合、ステップＳ８２に進み、データ保存部１３から蓄積文書を削除し、図１４のフローチャートの処理を終了する。なお、配信制御部１４は要求受付部１２から通知されたパラメータに含まれるパラメータ「実行後文書」に「ＤＥＬＥＴＥ」が設定されていない場合、そのまま図１４のフローチャートの処理を終了する。
【００７２】
このように、本発明による複合機１によれば、送信者により設定されたログイン名やパスワードなどによる配信の許諾が必要な受信フォルダを作成し、送信者により設定されたログイン名やパスワードなどによる配信の許諾が必要な受信フォルダへ蓄積文書を配信するようにしたため、受信者ＰＣ２のセキュリティを保ちつつ、送信者及び受信者の双方にとって使い勝手の良いデータ配信システムを実現できる。
【実施例３】
【００７３】
第３実施例のデータ配信システムの詳細は図３と同様である為、説明を省略する。第３実施例のデータ配信システムの処理手順について図１５のシーケンス図を参照しつつ説明する。図１５は本発明によるデータ配信システムの処理手順を表した第３実施例のシーケンス図である。
【００７４】
ステップＳ９１に進み、送信者は送信者ＰＣ３を操作し、複合機１の要求受付部１２へｗｅｂによるアクセスを行う。ステップＳ９２に進み、要求受付部１２は送信者ＰＣ３に図１６のようなｗｅｂ画面を表示させる。図１６はスキャン文書配信に必要なパラメータを送信者に設定させるｗｅｂ画面の一例のイメージ図である。
【００７５】
ステップＳ９３に進み、送信者は送信者ＰＣ３を操作し、図１６のようなｗｅｂ画面にスキャン文書配信に必要なパラメータを設定することで、スキャン文書配信に必要なパラメータを複合機１の要求受付部１２に送信する。ステップＳ９４に進み、要求受付部１２は受信したスキャン文書配信に必要なパラメータを配信制御部１４に通知する。
【００７６】
なお、ステップＳ９５〜Ｓ１０５の処理は図４のステップＳ１４〜Ｓ２４と同様であるため、説明を省略する。
【００７７】
更に、配信制御部１４の処理手順について図１７のフローチャートを参照しつつ説明していく。図１７は配信制御部の処理手順を表した実施例３のシーケンス図である。
【００７８】
ステップＳ１１１に進み、配信制御部１４はｗｅｂ画面からのパラメータ又はｅｍａｉｌを受信する。ｗｅｂ画面からのパラメータ又はｅｍａｉｌを受信すると、配信制御部１４はステップＳ１１２に進み、ｗｅｂ画面からのパラメータ（送信者）であるかｅｍａｉｌ（受信者）であるかを判定する。
【００７９】
ｗｅｂ画面からのパラメータであれば、配信制御部１４はステップＳ１１３に進み、要求受付部１２から通知されたパラメータに不正（エラー）があるか否かを判定する。要求受付部１２から通知されたパラメータに不正がなければ、ステップＳ１１４に進み、配信制御部１４は、要求受付部１２から通知されたパラメータを利用して図６に示したような内容のｅｍａｉｌを受信者ＰＣ２に送信したあと、図１７のフローチャートの処理を終了する。要求受付部１２から通知されたパラメータに不正がある場合、配信制御部１４はステップＳ１１５に進み、その旨を表すｅｍａｉｌ（エラーメール）を送信者ＰＣ３に送信したあと、図１７のフローチャートの処理を終了する。
【００８０】
なお、ステップＳ１１２において受信者からのｅｍａｉｌであると判定すると、配信制御部１４はステップＳ１１６に進む。なお、ステップＳ１１６〜Ｓ１２２の処理は図８のステップＳ３６〜Ｓ４２と同様であるため、説明を省略する。
【００８１】
このように、本発明による複合機１によれば、送信者により設定されたログイン名やパスワードなどによる配信の許諾が必要な受信フォルダを作成し、送信者により設定されたログイン名やパスワードなどによる配信の許諾が必要な受信フォルダへスキャン文書を配信するようにしたため、受信者ＰＣ２のセキュリティを保ちつつ、送信者及び受信者の双方にとって使い勝手の良いデータ配信システムを実現できる。
【実施例４】
【００８２】
第４実施例のデータ配信システムの詳細は図９と同様である為、説明を省略する。第４実施例のデータ配信システムの処理手順について図１８のシーケンス図を参照しつつ説明する。図１８は本発明によるデータ配信システムの処理手順を表した第４実施例のシーケンス図である。
【００８３】
ステップＳ１１１に進み、送信者は送信者ＰＣ３を操作し、複合機１の要求受付部１２へｗｅｂによるアクセスを行う。ステップＳ１１２に進み、要求受付部１２は送信者ＰＣ３に図１９のようなｗｅｂ画面を表示させる。図１９は蓄積文書配信に必要なパラメータを送信者に設定させるｗｅｂ画面の一例のイメージ図である。
【００８４】
ステップＳ１１３に進み、送信者は送信者ＰＣ３を操作し、図１９のようなｗｅｂ画面から蓄積文書の検索指示を行う。送信者ＰＣ３は複合機１の要求受付部１２へ蓄積文書の検索指示を行う。ステップＳ１１４に進み、要求受付部１２はデータ保存部１３に保存されている蓄積文書の一覧を要求する。ステップＳ１１５に進み、データ保存部１３は保存している蓄積文書の一覧を要求受付部１２に応答する。
【００８５】
ステップＳ１１６に進み、要求受付部１２は図１９のｗｅｂ画面に蓄積文書の一覧を表示する。ステップＳ１１７に進み、送信者は送信者ＰＣ３を操作し、図１９のようなｗｅｂ画面に蓄積文書配信に必要なパラメータを設定することで、蓄積文書配信に必要なパラメータを複合機１の要求受付部１２に送信する。なお、ステップＳ１１８〜Ｓ１２９の処理は図１０のステップＳ５２〜Ｓ６３と同様であるため、説明を省略する。
【００８６】
また、実施例４における配信制御部１４の処理手順は図１４のステップＳ７６〜Ｓ８２及び図１７のステップＳ１１１〜Ｓ１１５と同様であるため、説明を省略する。
【００８７】
このように、本発明による複合機１によれば、送信者により設定されたログイン名やパスワードなどによる配信の許諾が必要な受信フォルダを作成し、送信者により設定されたログイン名やパスワードなどによる配信の許諾が必要な受信フォルダへ蓄積文書を配信するようにしたため、受信者ＰＣ２のセキュリティを保ちつつ、送信者及び受信者の双方にとって使い勝手の良いデータ配信システムを実現できる。
【００８８】
本発明は、具体的に開示された実施例に限定されるものではなく、特許請求の範囲から逸脱することなく、種々の変形や変更が可能である。なお、特許請求の範囲に記載した配信許諾要求手段がステップＳ２の処理に相当し、配信手段がステップＳ４の処理に相当し、配信結果送信手段がステップＳ５の処理に相当する。
【図面の簡単な説明】
【００８９】
【図１】本発明によるデータ配信システムの一例の構成図である。
【図２】本発明によるデータ配信システムの処理手順を表した一例のシーケンス図である。
【図３】本発明によるデータ配信システムの詳細を示す第１実施例の構成図である。
【図４】本発明によるデータ配信システムの処理手順を表した第１実施例のシーケンス図である。
【図５】パラメータを設定する為のｅｍａｉｌの内容を表した構成図である。
【図６】スキャン文書配信の許諾を要求する為のｅｍａｉｌの内容を表した構成図である。
【図７】スキャン文書の配信結果を通知する為のｅｍａｉｌの内容を表した構成図である。
【図８】配信制御部の処理手順を表した実施例１のシーケンス図である。
【図９】本発明によるデータ配信システムの詳細を示す第２実施例の構成図である。
【図１０】本発明によるデータ配信システムの処理手順を表した第２実施例のシーケンス図である。
【図１１】パラメータを設定する為のｅｍａｉｌの内容を表した構成図である。
【図１２】蓄積文書配信の許諾を要求する為のｅｍａｉｌの内容を表した構成図である。
【図１３】蓄積文書の配信結果を通知する為のｅｍａｉｌの内容を表した構成図である。
【図１４】配信制御部の処理手順を表した実施例２のシーケンス図である。
【図１５】本発明によるデータ配信システムの処理手順を表した第３実施例のシーケンス図である。
【図１６】スキャン文書配信に必要なパラメータを送信者に設定させるｗｅｂ画面の一例のイメージ図である。
【図１７】配信制御部の処理手順を表した実施例３のシーケンス図である。
【図１８】本発明によるデータ配信システムの処理手順を表した第４実施例のシーケンス図である。
【図１９】蓄積文書配信に必要なパラメータを送信者に設定させるｗｅｂ画面の一例のイメージ図である。
【符号の説明】
【００９０】
１    複合機（ＭＦＰ）
２    受信者のＰＣ（受信者ＰＣ）
３    送信者のＰＣ（送信者ＰＣ）
１１    スキャナ部
１２    要求受付部
１３    データ保存部
１４    配信制御部
【図１】
2009134613.tif 000003
【図２】
2009134613.tif 000004
【図３】
2009134613.tif 000005
【図４】
2009134613.tif 000006
【図５】
2009134613.tif 000007
【図６】
2009134613.tif 000008
【図７】
2009134613.tif 000009
【図８】
2009134613.tif 000010
【図９】
2009134613.tif 000011
【図１０】
2009134613.tif 000012
【図１１】
2009134613.tif 000013
【図１２】
2009134613.tif 000014
【図１３】
2009134613.tif 000015
【図１４】
2009134613.tif 000016
【図１５】
2009134613.tif 000017
【図１６】
2009134613.tif 000018
【図１７】
2009134613.tif 000019
【図１８】
2009134613.tif 000020
【図１９】
2009134613.tif 000021